(57)【要約】  【構成】  ＣＣＤイメージャの受光素子に蓄積された電荷は、デコーダ２２ｈから出力されるタイミングパルスＸＳＧＡによって垂直転送レジスタに読み出される。垂直転送レジスタ上の電荷は、デコーダ２２ｅおよび２２ｇからそれぞれ出力される駆動パルスＶ１およびＶ３と、デコーダ２２ｇおよび２２ｉからそれぞれ出力されるタイミングパルスＸＶ２ＡおよびＸＶ２Ｂによって垂直方向に転送される。ここで、デコーダ２２ｈはＣＰＵによって一時的にオフされる。輝度評価回路は、デコーダ２２ｈがオフ状態となる１フレーム期間に関連してＣＣＤイメージャから出力される電荷と、デコーダ２２ｈがオン状態にある１フレーム期間に関連してＣＣＤイメージャ１４から出力される電荷とに基づいて露光量を調整する。  【効果】  露光量の正確な調整が可能となる。【選択図】  図３
2005260485.tif 000002
【特許請求の範囲】
【請求項１】
受光素子と垂直転送レジスタと水平転送レジスタとを有するイメージセンサ、
前記受光素子に蓄積された電荷を前記垂直転送レジスタに読み出すための読み出しパルスを繰り返し出力する第１出力手段、
前記垂直転送レジスタ上の電荷を垂直方向に転送するための垂直転送パルスを出力する第２出力手段、
前記水平転送レジスタ上の電荷を水平方向に転送するための水平転送パルスを出力する第３出力手段、
前記第１出力手段の出力動作を一時的に制限する制限手段、および
前記制限手段による制限時期に対応する第１時期に前記イメージセンサから出力された電荷である第１電荷と前記制限時期に対応しない第２時期に前記イメージセンサから出力された電荷である第２電荷とに基づいて前記イメージセンサの露光量を調整する第１調整手段を備える、電子カメラ。
【請求項２】
前記イメージセンサから出力された電荷の量を所定期間毎に評価する評価手段をさらに備え、
前記第１出力手段は前記所定期間に１回の割合で前記読み出しパルスを出力する、請求項１記載の電子カメラ。
【請求項３】
前記第１調整手段は所定演算によって前記イメージセンサの最適露光量を算出する算出手段を含み、
前記所定演算は前記第２電荷に関する前記評価手段の評価値から前記第１電荷に関する前記評価手段の評価値を減じる第１演算を含む、請求項２記載の電子カメラ。
【請求項４】
前記第１調整手段の調整に先立って前記イメージセンサの露光量を調整する第２調整手段をさらに備え、
前記所定演算は、目標値を前記第１演算の演算値によって割り算する第２演算、および前記第２調整手段によって調整された露光量に前記第２演算の演算値を掛け算する第３演算をさらに含む、請求項３記載の電子カメラ。
【請求項５】
前記イメージセンサへの入射光を遮断するシャッタ部材、および
前記第１調整手段によって調整された露光量に従う露光の終了時に前記シャッタ部材を駆動する駆動手段をさらに備える、請求項１ないし４のいずれかに記載の電子カメラ。
【発明の詳細な説明】
【技術分野】
【０００１】
この発明は、電子カメラに関し、特にたとえばインターライン転送型のイメージセンサによって被写界を撮影する、電子カメラに関する。
【背景技術】
【０００２】
従来のこの種の電子カメラの一例が、特許文献１に開示されている。この従来技術によれば、ＣＣＤ撮像素子の露出が、露出制御部によって制御される。ＣＣＤ撮像素子から撮像信号が出力されると、この撮像信号に重畳されたスミア成分がスミア検出部によって検出される。一方、スミア代表値検出部は、スミア検出部によって検出されたスミア成分と露出制御部の露出制御データとに基づいてスミアの代表値を算出する。
【０００３】
スミア補正部は、スミア検出部によって検出されたスミア成分に基づいて撮像信号にスミア補正を施し、スミア代表値検出部によって検出されたスミア代表値に基づいて撮像信号にゲイン補正を施す。また、かかるスミア補正およびゲイン補正が行われた後は、ＣＣＤ撮像素子の適正露出を確保するべく、露出制御部がスミア代表値に基づく露出補正を行う。露出補正の結果、スミア補正量およびゲイン補正量は減少する。こうして、スミアが低減されかつ明るさが適度に調整された画像が得られる。
【特許文献１】特開２００１−１１１８９７号公報［Ｈ０４Ｎ  ５／３３５，５／２３５］
【発明の開示】
【発明が解決しようとする課題】
【０００４】
しかし、従来技術では、スミア成分は、垂直光学的黒検出用画素の出力から検出される。つまり、有効画素の出力の垂直転送距離は画素位置によって異なるにも拘わらず、垂直転送距離が固定である垂直光学的黒検出用画素の出力からスミア成分が検出される。このため、従来技術では、露光量を正確に調整することができない。
【０００５】
それゆえに、この発明の主たる目的は、露光量を正確に調整することができる、電子カメラを提供することである。
【課題を解決するための手段】
【０００６】
請求項１の発明に従う電子カメラは、受光素子と垂直転送レジスタと水平転送レジスタとを有するイメージセンサ、受光素子に蓄積された電荷を垂直転送レジスタに読み出すための読み出しパルスを繰り返し出力する第１出力手段、垂直転送レジスタ上の電荷を垂直方向に転送するための垂直転送パルスを出力する第２出力手段、水平転送レジスタ上の電荷を水平方向に転送するための水平転送パルスを出力する第３出力手段、第１出力手段の出力動作を一時的に制限する制限手段、および制限手段による制限時期に対応する第１時期にイメージセンサから出力された電荷である第１電荷と制限時期に対応しない第２時期にイメージセンサから出力された電荷である第２電荷とに基づいてイメージセンサの露光量を調整する第１調整手段を備える。
【０００７】
イメージセンサは、受光素子と垂直転送レジスタと水平転送レジスタとを有する。受光素子に蓄積された電荷は、第１出力手段から出力される読み出しパルスによって垂直転送レジスタに読み出される。垂直転送レジスタ上の電荷は、第２出力手段から出力される垂直転送パルスによって垂直方向に転送され、水平転送レジスタ上の電荷は、第３出力手段から出力される水平転送パルスによって水平方向に転送される。第１出力手段の出力動作は、制限手段によって一時的に制限される。制限手段による制限時期に対応する第１時期にイメージセンサから出力される電荷が第１電荷となり、制限手段による制限時期に対応しない第２時期にイメージセンサから出力される電荷が第２電荷となる。第１調整手段は、かかる第１電荷および第２電荷に基づいてイメージセンサの露光量を調整する。
【０００８】
第１時期は読み出しパルスの出力が制限される時期に対応するため、第１時期にイメージセンサから出力される第１電荷は、スミア成分のような不正電荷である。一方、第２時期は読み出しパルスの出力が制限されない時期に対応するため、第２時期にイメージセンサから出力される第２電荷は、正規電荷および不正電荷の両方である。イメージセンサの露光量は、かかる第１電荷および第２電荷に基づいて算出される。これによって、露光量の正確な調整が可能となる。
【０００９】
請求項２の発明に従う電子カメラは、請求項１に従属し、イメージセンサから出力された電荷の量を所定期間毎に評価する評価手段をさらに備え、第１出力手段は所定期間に１回の割合で読み出しパルスを出力する。これによって、露光量の調整が容易になる。
【００１０】
請求項３の発明に従う電子カメラは、請求項２に従属し、第１調整手段は所定演算によってイメージセンサの最適露光量を算出する算出手段を含み、所定演算は第２電荷に関する評価手段の評価値から第１電荷に関する評価手段の評価値を減じる第１演算を含む。かかる第１演算によって、正規電荷のみの評価値が得られる。
【００１１】
請求項４の発明に従う電子カメラは、請求項３に従属し、第１調整手段の調整に先立ってイメージセンサの露光量を調整する第２調整手段をさらに備え、所定演算は、目標値を第１演算の演算値によって割り算する第２演算、および第２調整手段によって調整された露光量に第２演算の演算値を掛け算する第３演算をさらに含む。
【００１２】
請求項５の発明に従う電子カメラは、請求項１ないし４のいずれかに従属し、イメージセンサへの入射光を遮断するシャッタ部材、および第１調整手段によって調整された露光量に従う露光の終了時にシャッタ部材を駆動する駆動手段をさらに備える。シャッタ部材を駆動することで、その後にイメージセンサから出力される電荷に不正電荷が含まれることはない。
【発明の効果】
【００１３】
この発明によれば、イメージセンサの露光量を第１電荷および第２電荷に基づいて算出するようにしたため、露光量の正確な調整が可能となる。
【００１４】
この発明の上述の目的，その他の目的，特徴および利点は、図面を参照して行う以下の実施例の詳細な説明から一層明らかとなろう。
【発明を実施するための最良の形態】
【００１５】
図１を参照して、この実施例のディジタルカメラ１０は、光学レンズ１２およびメカニカルシャッタ１４を含む。被写界の光学像は、これらの部材を通して、上下逆向きの状態でＣＣＤイメージャ１６の受光面に照射される。なお、受光面はベイヤ配列の原色フィルタ（図示せず）によって覆われる。
【００１６】
電源が投入されると、ＣＰＵ３０は、スルー画像処理を実行するべく、ＴＧ２２にプリ露光および間引き読み出しの繰り返しを命令する。ＴＧ（Timing Generator）２２は、ＳＧ（Signal Generator）２４から出力される垂直同期信号Ｖｓｙｎｃおよび水平同期信号Ｈｓｙｎｃに基づいてＣＣＤイメージャ１６に１／３０秒毎のプリ露光を施し、各々のプリ露光によって生成された電荷を間引き態様でＣＣＤイメージャ１６から読み出す。
【００１７】
読み出された電荷つまり低解像度の生画像信号は、ＣＤＳ／ＡＧＣ／ＡＤ回路１８によって、ノイズ除去，レベル調整およびＡ／Ｄ変換の一連の処理を施される。ＣＤＳ／ＡＧＣ／ＡＤ回路１８からは、ディジタル信号である生画像データが出力される。信号処理回路２６は、かかる生画像データに白バランス調整，ＹＵＶ変換などの信号処理を施し、ＹＵＶ形式の画像データをメモリ制御回路３４を通してＳＤＲＡＭ３６に書き込む。
【００１８】
ビデオエンコーダ３８はメモリ制御回路３４を通してＳＤＲＡＭ３６から各フレームの画像データを読み出し、読み出された画像データをＮＴＳＣ方式に従うコンポジットビデオ信号に変換する。変換されたコンポジットビデオ信号はＬＣＤモニタ４０に与えられ、この結果、被写界のリアルタイム動画像（スルー画像）がモニタ画面に表示される。
【００１９】
信号処理回路２６によって生成された画像データのうちＹデータは、輝度評価回路２８にも与えられる。輝度評価回路２８は、与えられたＹデータを１フレーム期間（１／３０秒）毎に積算して、各フレームの輝度評価値を算出する。
【００２０】
算出された輝度評価値は、ＣＰＵ３０のスルー画像用ＡＥ処理に利用される。ＣＰＵ３０は、輝度評価値を垂直同期信号Ｖｓｙｎｃに応答して輝度評価回路２８から取り込み、取り込まれた輝度評価値に基づいて最適露光期間Ｔｐｒｅを算出し、そして算出された最適露光期間ＴｐｒｅをＴＧ２２に設定する。ＴＧ２２は、設定された最適露光期間Ｔｐｒｅに従うプリ露光を実行する。この結果、ＬＣＤモニタ４０に表示されるスルー画像の明るさが適度に調整される。
【００２１】
シャッタボタン４６が半押しされると、後述する記録用ＡＥ処理がＣＰＵ３０によって実行される。この結果、最適露光期間Ｔｍａｉｎが求められる。
【００２２】
シャッタボタン４６が全押しされると、ＣＰＵ３０によって撮影／記録処理が実行される。ＣＰＵ３０はまず、本露光および全画素読み出しの実行をＴＧ２２に命令し、本露光の開始から最適露光期間Ｔｍａｉｎが経過した時点でドライバ２０にメカニカルシャッタ１４の駆動を命令する。
【００２３】
ＴＧ２２はＣＣＤイメージャ１６に本露光を施し、メカニカルシャッタ１４は所望のタイミングでイメージセンサ１６への光の入射を遮断する。ＴＧ２２は、本露光によって生成された全ての電荷をメカニカルシャッタ１４の駆動後に読み出す。読み出された電荷つまり高解像度の生画像信号は、上述と同様の処理を施され、この結果、高解像度の画像データがＳＤＲＡＭ３６に書き込まれる。
【００２４】
ＣＰＵ２８は次に、ＪＰＥＧ圧縮をＪＰＥＧコーデック４２に命令する。ＪＰＥＧコーデック４２は、ＳＤＲＡＭ３６に格納された高解像度の画像データをメモリ制御回路３４を通して読み出し、読み出された画像データをＪＰＥＧ方式で圧縮し、そして圧縮画像データつまりＪＰＥＧデータをメモリ制御回路３４を通してＳＤＲＡＭ３６に書き込む。
【００２５】
ＣＰＵ２８はその後、かかるＪＰＥＧデータをメモリ制御回路３４を通してＳＤＲＡＭ３６から読み出し、読み出されたＪＰＥＧデータを含むＪＰＥＧファイルをＩ／Ｆ４４を通して記録媒体４６に記録する。
【００２６】
図２を参照して、ＣＣＤイメージャ１６は、インターライン転送方式のイメージセンサである。受光面に形成された複数の受光素子（画素）１６ａ，１６ａ，…は、原色フィルタを形成する複数の色要素にそれぞれ対応する。したがって、Ｒ，ＧおよびＢのいずれか１つの色情報を有する電荷が、各々の受光素子１６ａで光電変換によって生成される。生成された電荷は、垂直転送レジスタ１６ｂに読み出され、垂直方向に転送される。垂直転送レジスタ１６ｂの終端まで転送された電荷は、水平転送レジスタ１６ｃによって水平方向に転送され、ＣＣＤイメージャ１６から出力される。このような電荷の読み出し処理および転送処理は、ＴＧ２２から出力される複数の駆動パルスに応答して行なわれる。
【００２７】
図４（Ａ）に示すように、垂直転送レジスタ１６ｂは複数のメタルＭ，Ｍ，…によって形成され、３つのメタルＭが各々の受光素子１６ａに割り当てられる。各々のメタルＭには、ＴＧ２２から出力された駆動パルスＶ１，Ｖ２Ａ，Ｖ２ＢおよびＶ３のいずれか１つが印加される。
【００２８】
垂直方向に連続する４つの画素に注目したとき、下から１ライン目（第１ライン）のＧ／Ｂ画素または下から２ライン目（第２ライン）のＲ／Ｇ画素に割り当てられた３つのメタルＭには、駆動パルスＶ２Ｂ，Ｖ１およびＶ３がそれぞれ印加される。また、下から３ライン目（第３ライン）のＧ／Ｂ画素または下から４ライン目（第４ライン）のＲ／Ｇ画素に割り当てられた３つのメタルＭには、駆動パルスＶ２Ａ，Ｖ１およびＶ３がそれぞれ印加される。垂直方向に連続する複数の画素をかかる４画素の集合と考えたとき、駆動パルスＶ１，Ｖ２Ａ，Ｖ２ＢおよびＶ３は、上述の要領で各々の４画素に与えられる。
【００２９】
ＴＧ２２は、具体的には図３に示すように構成される。Ｈカウンタ２２ａのカウント値（水平カウント値）は、画素クロックに応答してインクリメントされ、かつ水平同期信号Ｈｓｙｎｃに応答してリセットされる。また、Ｖカウンタ２２ｂのカウント値（垂直カウント値）は、水平同期信号Ｈｓｙｎｃに応答してインクリメントされ、かつ垂直同期信号Ｖｓｙｎｃに応答してリセットされる。水平カウント値および垂直カウント値のいずれも、デコーダ２２ｃ〜２２ｊのパルス生成に利用される。
【００３０】
デコーダ２２ｃは、水平転送レジスタ１６ｃを駆動するための駆動パルスＨ１を発生する。デコーダ２２ｄはタイミングパルスＸＳＵＢを発生し、ドライバ２２ｋは、デコーダ２２ｄからのタイミングパルスＸＳＵＢならびにＣＰＵ２８からの露光期間データに基づいて電荷掃き捨てパルスＳＵＢを発生する。デコーダ２２ｅおよび２２ｆはそれぞれ、上述の駆動パルスＶ１およびＶ２を発生する。
【００３１】
デコーダ２２ｇ，２２ｈ，２２ｉおよび２２ｊはそれぞれ、タイミングパルスＸＶ２Ａ，ＸＳＧＡ，ＸＶ２ＢおよびＸＳＧＢを発生する。ドライバ２２ｍは、デコーダ２２ｇおよびデコーダ２２ｈから出力されたタイミングパルスＸＶ２ＡおよびＸＳＧＡに基づいて、上述の駆動パルスＶ２Ａを発生する。ドライバ２２ｎは、デコーダ２２ｉおよびデコーダ２２ｊから出力されたタイミングパルスＸＶ２ＢおよびＸＳＧＢに基づいて、上述の駆動パルスＶ２Ｂを発生する。
【００３２】
受光素子１６ａの電荷は、タイミングパルスＸＶ２ＡまたはＸＶ２Ｂによって垂直転送レジスタ１６ｂに読み出される。垂直転送レジスタ１６ｂ上の電荷は、駆動パルスＶ１およびＶ３とタイミングパルスＸＶ２ＡおよびＸＶ２Ｂによって垂直方向に転送される。水平転送レジスタ１６ｃ上の電荷は、駆動パルスＨ１によって水平方向に転送される。
【００３３】
スルー画像をＬＣＤモニタ４０に表示するとき、電荷掃き捨てパルスＳＵＢ，駆動パルスＶ１，Ｖ２Ａ，Ｖ２ＢおよびＶ３は、図５（Ａ）あるいは図６（Ａ）に示す垂直同期信号Ｖｓｙｎｃに同期して、図５（Ｂ），図５（Ｃ），図５（Ｄ），図５（Ｅ）および図５（Ｆ）、あるいは図６（Ｂ），図６（Ｃ），図６（Ｄ），図６（Ｅ）および図６（Ｆ）に示す要領で発生する。
【００３４】
電荷掃き捨てパルスＳＵＢは、プリ露光が開始されるまで繰り返し発生する。各々の受光素子１６ａで生成された電荷は、かかる電荷掃き捨てパルスＳＵＢによってドレイン（図示せず）に掃き捨てられる。プリ露光が開始されると、電荷掃き捨てパルスＳＵＢの出力が中断される。これによって、各々の受光素子１６ａに電荷が蓄積される。
【００３５】
プリ露光は、図５（Ｄ）または図６（Ｄ）に示すＳＧ成分に応答した電荷の読み出しによって終了する。ＳＧ成分は、デコーダ２２ｈから出力されたタイミングパルスＸＳＧＡに対応する成分であり、垂直同期信号Ｖｓｙｎｃの発生とほぼ同時に発生する。垂直転送レジスタ１６ａに読み出された電荷は、駆動パルスＶ１，Ｖ２Ａ，Ｖ２ＢおよびＶ３によって垂直方向に転送される。なお、スルー画像を出力するとき、デコーダ２２ｊからタイミングパルスＸＳＧＢが出力されることはなく、駆動パルスＶ２ＢにＳＧ成分が現れることもない。
【００３６】
図４（Ａ）に示すように、駆動パルスＶ２Ａは第３ラインおよび第４ラインの画素に割り当てられ、駆動パルスＶ２Ｂは第１ラインおよび第２ラインの画素に割り当てられる。したがって、スルー画像出力時、電荷は、図４（Ｂ）に示すように垂直転送レジスタ１６ｂに読み出される。
【００３７】
スルー画像出力時は、垂直転送期間にも光が受光面に照射され、この照射によって垂直転送レジスタ１６ｂ上にスミア成分（不正電荷）が発生する。発生したスミア成分は、正規の電荷とともにＣＣＤイメージャ１６から出力される。つまり、ＣＣＤイメージャ１６から出力される生画像信号にはスミア成分が含まれてしまう。かかるスミア成分は、露光不足を引き起こす原因となる。
【００３８】
そこで、この実施例では、シャッタボタン３２が半押しされたときに、或る１フレームでデコーダ２２ｊをオフし、この１フレームを含む２フレームに関連して求められる輝度評価値に基づいて露光量を調整するようにしている。かかる動作は記録用ＡＥ処理で行われる。
【００３９】
具体的には、デコーダ２２ｊがオフされると、図６（Ｄ）に示すようにＳＧ成分が１回だけ欠落し、図４（Ｃ）に示すようにスミア成分のみが垂直転送を施される。輝度評価回路２８では、スミア成分のみを有するＹデータに基づいて輝度評価値が求められる。ＣＰＵ３０は、スミア成分および正規の電荷を反映する輝度評価値からスミア成分のみを反映する輝度評価値を減算し、減算値に基づいて最適露光時間を算出する。こうして求められた最適露光時間は、本露光のために用いられる。
【００４０】
シャッタボタン３２が全押しされると、本露光が実行される。図７（Ｂ）に示すように、本露光は、電荷掃き捨てパルスＳＵＢの中断によって開始され、メカニカルシャッタ１４の閉動作によって終了する。図７（Ｃ），図７（Ｄ），図７（Ｅ）および図７（Ｆ）に示すように、駆動パルスＶ１，Ｖ２Ａ，Ｖ２ＢおよびＶ３の出力は、メカニカルシャッタ１４によって入射光が完全に遮断された後、所定期間にわたって中断される。このとき、垂直転送レジスタ１６ｂがリセットされ、スミア成分が除去される。所定期間が経過すると、駆動パルスＶ１，Ｖ２Ａ，Ｖ２ＢおよびＶ３の出力が再開される。
【００４１】
本露光時は、デコーダ２２ｈおよび２２ｊがタイミングパルスＸＳＧＡおよびＸＳＧＢをそれぞれ出力し、これによって駆動パルスＶ２ＡおよびＶ２Ｂの両方にＳＧ成分が現れる。この結果、全ての受光素子１６ａ，１６ａ，…で生成された電荷が、図４（Ｄ）に示すように垂直転送レジスタ１６ｂに読み出される。読み出された電荷は、その後、垂直転送および水平転送を経てＣＣＤイメージャ１６から出力される。
【００４２】
ＣＰＵ３０は、具体的には、図８および図９に示すフロー図に従う処理を実行する。なお、これらのフロー図に対応する制御プログラムは、フラッシュメモリ４８に記憶される。
【００４３】
図８に示すステップＳ１では、スルー画像処理を実行する。これによって、被写界のスルー画像がＬＣＤモニタ４０に表示される。ステップＳ３ではシャッタボタン３２が半押しされたか否か判別し、ＮＯであればステップＳ５のスルー画像用ＡＥ処理を経てステップＳ３に戻る。ステップＳ３でＮＯと判断される限り、スルー画像用ＡＥ処理が繰り返され、プリ露光のための最適露光期間Ｔｐｒｅが繰り返し更新される。これによって、スルー画像の明るさが適度に調整される。ステップＳ３でＹＥＳと判断されると、ステップＳ７で記録用ＡＥ処理を実行する。これによって、最適露光期間Ｔｍａｉｎが正確に求められる。
【００４４】
ステップＳ９ではシャッタボタン３２が全押しされたか否か判別し、ステップＳ１１ではシャッタボタン３２の操作が解除されたか否か判別する。シャッタボタン３２の操作が解除されたときはステップＳ３に戻り、シャッタボタン３２が全押しされたときはステップＳ１３で撮影／記録処理を行う。撮影／記録処理によって、最適露光期間Ｔｍａｉｎに従う本露光が行われ、これによって撮影された被写界の画像データが圧縮状態で記録媒体４６に記録される。ステップＳ１３の処理が完了すると、ステップＳ１に戻る。
【００４５】
ステップＳ７の記録用ＡＥ処理は、図９に示すサブルーチンに従って実行される。まずステップＳ２１で垂直同期信号Ｖｓｙｎｃが発生したか否かを判別し、ＹＥＳであればステップＳ２３で輝度評価回路２８から輝度評価値を取り込む。ここで取り込まれる輝度評価値を“Ｉｙｍｘ”と定義する。この輝度評価値Ｉｙｍｘには、受光素子１６ａから読み出された電荷だけでなく、垂直転送レジスタ１６ｂ上で発生したスミア成分も反映される。
【００４６】
ステップＳ２５では、次の１フレームでの電荷の読み出しを禁止するべくデコーダ２２ｈをオフする。続くステップＳ２７では垂直同期信号Ｖｓｙｎｃが２回発生したか否かを判別し、ＹＥＳであればステップＳ２９で輝度評価回路２８から輝度評価値を取り込む。ここで取り込まれる輝度評価値を“Ｉｙｓｍ”と定義する。ステップＳ２５でデコーダ２２ｈがオフされたため、この輝度評価値Ｉｙｓｍは、垂直転送レジスタ１６ｂ上で発生したスミア成分のみを反映する。
【００４７】
こうして輝度評価値ＩｙｍｘおよびＩｙｓｍが求められると、ステップＳ３１でデコーダ２２ｈをオンし、ステップＳ３３で数１に従って最適露光期間Ｔｍａｉｎを算出する。
【００４８】
【数１】
2005260485.tif 000003
【００４９】
数１によれば、輝度評価値Ｉｙｍｘから輝度評価値Ｉｙｓｍが減算され、目標輝度評価値Ｉｙｔｒｇｔが減算値によって割り算され、そして最適露光期間Ｔｐｒｅが割り算値によって掛け算される。輝度評価値Ｉｙｍｘから輝度評価値Ｉｙｓｍを減算することによって、減算値は、受光素子１６ａから読み出された正規電荷のみを反映する。こうして求められた最適露光期間Ｔｍａｉｎに従って本露光を行うことで、記録される画像データは最適な明るさを有することとなる。ステップＳ３３の算出処理が完了すると、上階層のルーチンに復帰する。
【００５０】
以上の説明から分かるように、ＣＣＤイメージャ１４は、受光素子１６ａと垂直転送レジスタ１６ｂと水平転送レジスタ１６ｃとを有する。受光素子１６ｃに蓄積された電荷は、デコーダ２２ｈから出力されるタイミングパルスＸＳＧＡによって垂直転送レジスタ１６ｂに読み出される。垂直転送レジスタ１６ｂ上の電荷は、デコーダ２２ｅから出力される駆動パルスＶ１，デコーダ２２ｆから出力される駆動パルスＶ３，デコーダ２２ｇから出力されるタイミングパルスＸＶ２Ａおよびデコーダ２２ｉから出力されるタイミングパルスＸＶ２Ｂによって垂直方向に転送される。水平転送レジスタ１６ｃ上の電荷は、デコーダ２２ｃから出力される駆動パルスＨ１によって水平方向に転送される。
【００５１】
ここで、デコーダ２２ｈはＣＰＵ３０によって一時的にオフされる(S25)。輝度評価回路２８は、デコーダ２２ｈがオフ状態となる１フレーム期間の次の１フレーム期間にＣＣＤイメージャ１４から出力される電荷に基づいて輝度評価値Ｉｙｍｘを求め、デコーダ２２ｈがオン状態にある１フレーム期間の次の１フレーム期間にＣＣＤイメージャ１４から出力される電荷に基づいて輝度評価値Ｉｙｓｍを求める。ＣＰＵ３０は、こうして求められた輝度評価値ＩｙｍｘおよびＩｙｓｍに基づいて最適露光期間Ｔｍａｉｎを算出する(S33)。
【００５２】
デコーダ２２ｈがオフ状態となる１フレーム期間の次の１フレーム期間にＣＣＤイメージャ１６から出力される電荷は、スミア成分のような不正電荷である。一方、デコーダ２２ｈがオン状態にある１フレーム期間の次の１フレーム期間にＣＣＤイメージャ１６から出力される電荷は、正規電荷および不正電荷の両方である。ＣＣＤイメージャ１６の露光量は、かかる電荷に基づいて算出される。これによって、露光量の正確な調整が可能となる。
【００５３】
なお、この実施例では、イメージセンサとしてＣＣＤイメージャを用いているが、スミア成分のような不正電荷発生する限り、ＣＣＤイメージャに限定されるものではない。また、この実施例のＣＣＤイメージャは１つの水平転送レジスタしか有しないが、複数（２つ）の水平転送レジスタを有するＣＣＤイメージャを用いるようにしてもよい。さらに、ＣＣＤイメージャの走査方式としては、順次走査方式および飛び越し走査方式のいずれを採用してもよい。
【００５４】
また、この実施例では、露光量を露光期間のみによって規定しているが、露光期間および絞り量によって露光量を規定したり、絞り量のみによって露光量を規定するようにしてもよい。さらに、輝度評価回路による評価エリアは、フレーム全体であっても、フレームの一部であってもよい。
【図面の簡単な説明】
【００５５】
【図１】この発明の一実施例の構成を示すブロック図である。
【図２】図１実施例に適用されるＣＣＤイメージャの構成の一例を示す図解図である。
【図３】図１実施例に適用されるＴＧ／ＳＧの構成の一部を示すブロック図である。
【図４】（Ａ）は図２に示すＣＣＤイメージャの構成の一部を示す図解図であり、（Ｂ）は電荷およびスミア成分が垂直転送レジスタ上の混在する状態の一例を示す図解図であり、（Ｃ）はスミア成分が垂直転送レジスタ上に存在する状態の一例を示す図解図であり、そして（Ｄ）は電荷が垂直転送レジスタ上に存在する状態の一例を示す図解図である。
【図５】（Ａ）は垂直同期信号Ｖｓｙｎｃの発生タイミングの一例を示すタイミング図であり、（Ｂ）は電荷掃き捨てパルスＳＵＢの発生タイミングの一例を示すタイミング図であり、（Ｃ）は垂直転送パルスＶ１の発生タイミングの一例を示すタイミング図であり、（Ｄ）は垂直転送パルスＶ２Ａの発生タイミングの一例を示すタイミング図であり、（Ｅ）は垂直転送パルスＶ２Ｂの発生タイミングの一例を示すタイミング図であり、そして（Ｆ）は垂直転送パルスＶ３の発生タイミングの一例を示すタイミング図である。
【図６】（Ａ）は垂直同期信号Ｖｓｙｎｃの発生タイミングの他の一例を示すタイミング図であり、（Ｂ）は電荷掃き捨てパルスＳＵＢの発生タイミングの他の一例を示すタイミング図であり、（Ｃ）は垂直転送パルスＶ１の発生タイミングの他の一例を示すタイミング図であり、（Ｄ）は垂直転送パルスＶ２Ａの発生タイミングの他の一例を示すタイミング図であり、（Ｅ）は垂直転送パルスＶ２Ｂの発生タイミングの他の一例を示すタイミング図であり、そして（Ｆ）は垂直転送パルスＶ３の発生タイミングの他の一例を示すタイミング図である。
【図７】（Ａ）は垂直同期信号Ｖｓｙｎｃの発生タイミングのその他の一例を示すタイミング図であり、（Ｂ）は電荷掃き捨てパルスＳＵＢの発生タイミングのその他の一例を示すタイミング図であり、（Ｃ）は垂直転送パルスＶ１の発生タイミングのその他の一例を示すタイミング図であり、（Ｄ）は垂直転送パルスＶ２Ａの発生タイミングのその他の一例を示すタイミング図であり、（Ｅ）は垂直転送パルスＶ２Ｂの発生タイミングのその他の一例を示すタイミング図であり、そして（Ｆ）は垂直転送パルスＶ３の発生タイミングのその他の一例を示すタイミング図である。
【図８】図１実施例に適用されるＣＰＵの動作の一部を示すフロー図である。
【図９】図１実施例に適用されるＣＰＵの動作の他の一部を示すフロー図である。
【符号の説明】
【００５６】
１０…  ディジタルカメラ
１６…  ＣＣＤイメージャ
２２…  ＴＧ／ＳＧ
２４…  信号処理回路
２６…  輝度評価回路
２８…  ＣＰＵ
【図１】
2005260485.tif 000004
【図２】
2005260485.tif 000005
【図３】
2005260485.tif 000006
【図４】
2005260485.tif 000007
【図５】
2005260485.tif 000008
【図６】
2005260485.tif 000009
【図７】
2005260485.tif 000010
【図８】
2005260485.tif 000011
【図９】
2005260485.tif 000012